(57)【要約】【課題】側部に押出成形部材が配設された構造物に、特別な加工を施したり、煩雑な組み付け作業等を行ったりすることなく、カバーを簡単、迅速、かつ正確に取り付けることができるようにしたカバーの取付構造を提供する。【解決手段】構造物の側部に配設した押出成形部材２の外側面にカバー９を取り付けるカバー９の取付構造において、押出成形部材２の外側面に、互いに対向する開口縁部に内向きの突条１４が形成された上下方向を向く係合溝１３を設け、係合溝１３に対向するカバー９の内面に、係合溝１３の開口部より係合溝１３内に進入し、かつ各突条１４の背面に係合しうるようにした係合片１６を設け、係合片１６を係合溝１３に、上下方向に摺動可能として係合させる。【選択図】図３
2005073850.tif 000002
【特許請求の範囲】
【請求項１】
構造物の側部に配設した押出成形部材の外側面にカバーを取り付けるカバーの取付構造において、前記押出成形部材の外側面に、互いに対向する開口縁部に内向きの突条が形成された上下方向を向く係合溝を設け、前記係合溝に対向するカバーの内面に、前記係合溝の開口部より係合溝内に進入し、かつ各突条の背面に係合しうるようにした係合片を設け、前記係合片を係合溝に、上下方向に摺動可能として係合させたことを特徴とするカバーの取付構造。
【請求項２】
係合片を、係合溝における各突条に係合する１対の平面視外向きＬ字状とした請求項１記載のカバーの取付構造。
【請求項３】
係合片を、カバーの内面に固着した板材より切り起こして形成した請求項１または２記載のカバーの取付構造。
【請求項４】
カバーの内面に、押出成形部材における係合溝が設けられた部分の上端面に当接して、カバーを定位置に保持するストッパを設けた請求項１〜３のいずれかに記載のカバーの取付構造。
【請求項５】
ストッパを、押出成形部材の上端面に当接した際、係合溝の上端開口部を覆うに足る形状とした請求項４記載のカバーの取付構造。
【請求項６】
カバーの内面に、係合片を係合溝内に摺動自在に嵌合した際、押出成形部材の外側面に摺接するようにしたスライダを設けた請求項１〜５のいずれかに記載のカバーの取付構造。
【請求項７】
スライダを、カバーの内面における係合片を挟む上下位置に設けた請求項６記載のカバーの取付構造。
【発明の詳細な説明】
【技術分野】
【０００１】
本発明は、キャビネットや配線ダクト等の構造物の側部に押出成形部材が配設されているものにおいて、その押出成形部材の外側面にカバーを取り付ける構造に関する。
【背景技術】
【０００２】
キャビネットや配線ダクト等の構造物の側部に、カバーを取り付ける従来の取付構造としては、板金製の配線ダクトや支持金具に、カバーの内面に設けた係合片を係止させるようにしたものがある（例えば、特許文献１参照）。
【０００３】
しかし、構造物の側部に、アルミニウム軽合金等の押出成形部材が配設されているものにおいては、押出成形部材に、カバーの内面に設けた係合片を係止させるための受け部を形成することが困難であるので、このような場合には、押出成形部材にねじ孔を穿設し、そのねじ孔を利用して、カバーを直接ねじ止めするか、またはカバーを受ける受け部材をねじ止めし、この受け部材にカバーの内面に設けた係合片を係止させるようしている。
【特許文献１】特開２００３−１３５１８５号公報（図３）
【発明の開示】
【発明が解決しようとする課題】
【０００４】
しかし、上述のような、側部に押出成形部材が配設されている場合の従来のカバーの取付構造では、いずれの場合も、押出成形部材にねじ孔加工等の特別な加工を施す必要があるだけでなく、ねじ止め作業等の煩雑な組み付け作業が必要となり、コスト高になるという問題がある。
【０００５】
本発明は、従来の技術が有する上記のような問題点に鑑み、側部に押出成形部材が配設された構造物に、特別な加工を施したり、煩雑な組み付け作業等を行ったりすることなく、カバーを簡単、迅速、かつ正確に取り付けることができるようにしたカバーの取付構造を提供することを目的としている。
【課題を解決するための手段】
【０００６】
本発明によると、上記課題は、次のようにして解決される。
（１）構造物の側部に配設した押出成形部材の外側面にカバーを取り付けるカバーの取付構造において、前記押出成形部材の外側面に、互いに対向する開口縁部に内向きの突条が形成された上下方向を向く係合溝を設け、前記係合溝に対向するカバーの内面に、前記係合溝の開口部より係合溝内に進入し、かつ各突条の背面に係合しうるようにした係合片を設け、前記係合片を係合溝に、上下方向に摺動可能として係合させる。
【０００７】
（２）上記(１)項において、係合片を、係合溝における各突条に係合する１対の平面視外向きＬ字状とする。
【０００８】
（３）上記(１)または(２)項において、係合片を、カバーの内面に固着した板材より切り起こして形成する。
【０００９】
（４）上記(１)〜(３)項のいずれかにおいて、カバーの内面に、押出成形部材における係合溝が設けられた部分の上端面に当接して、カバーを定位置に保持するストッパを設ける。
【００１０】
（５）上記(４)項において、ストッパを、押出成形部材の上端面に当接した際、係合溝の上端開口部を覆うに足る形状とする。
【００１１】
（６）上記(１)〜(５)項のいずれかにおいて、カバーの内面に、係合片を係合溝内に摺動自在に嵌合した際、押出成形部材の外側面に摺接するようにしたスライダを設ける。
【００１２】
（７）上記(６)項において、スライダを、カバーの内面における係合片を挟む上下位置に設ける。
【発明の効果】
【００１３】
本発明によると、次のような効果を奏することができる。
（ａ）請求項１記載の発明によると、カバーの内面に設けた係合片を、押出成形部材の外側面に設けた係合溝に上方より係合させるだけで、押出成形部材等に特別な加工を施したり、煩雑な組み付け作業等を行ったりすることなく、カバーを押出成形部材に、簡単、迅速、かつ正確に取り付けることができる。
【００１４】
（ｂ）請求項２記載の発明によると、カバーに設けられた１対の鉤形片が、押出成形部材の係合溝の開口縁部に設けられた対向する両突条に係合するので、カバーは、係合溝から妄りに外れることなく、確実に押出成形部材に保持される。
【００１５】
（ｃ）請求項３記載の発明によると、係合片を、板材をプレス加工等することにより、簡単に形成することができるとともに、その板材をカバーの内面に溶接等により固着するだけで、容易に製造することができる。
【００１６】
（ｄ）請求項４記載の発明によると、ストッパーが押出成形部材の上端面に当接するまで、係合片を係止溝に挿入するだけで、押出成形部材に対するカバーの上下方向の位置決めが簡単かつ確実になされる。
【００１７】
（ｅ）請求項５記載の発明によると、ストッパーが、押出成形部材の上端面に当接したとき、係合溝の上端開口部を覆うことができるので、見栄えがよく、さらに異物が誤って係止溝内に入ることを防止することができる。
【００１８】
（ｆ）請求項６記載の発明によると、カバーの内面に設けた係合片を、押出成形部材の外側面に設けた係合溝に上方より係合させ、かつ下降させる際に、スライダが、その下降を円滑に案内することができ、摺接部分の摩耗や損傷を防止することができる。
【００１９】
（ｇ）請求項７記載の発明によると、スライダを、カバーの内面における係合片を挟む上下位置に設けたので、係合片と係合溝の突条とのがたつきを防止することができる。
【発明を実施するための最良の形態】
【００２０】
以下、本発明の一実施形態を、図面に基づいて説明する。
図１〜図１０は、本発明の一実施形態を備える配線ダクトユニットを示す。
図１及び図２に示すように、この配線ダクトユニット(Ａ)は、前後方向を向く安定脚(１)(１)を下端に備える上下方向を向く中空筒状の左右１対の支持脚(２)(２)と、それらの上部の対向面間に支持された左右方向に長い基杆(３)とを備えている。
【００２１】
基杆(３)は、左右１対の支持脚(２)(２)の上部の対向面に固着された側面視ほぼＹ字状をなす左右１対の側枠(４)(４)と、その上端前後部に両端が固着された左右方向を向く前後１対のサイドビーム(５)(５)と、側面視上向きコ字状をなし、前後の起立片(6a)(6a)が前後のサイドビーム(５)(５)の内側面に固着された左右方向を向くほぼ水平の受支板(６)と、受支板(６)の中央部の下方にそれと平行をなすようにして配設され、かつ左右の両端が、両側枠(４)(４)の下部中央に固着された梁杆(７)とを備えている。
【００２２】
また、配線ダクトユニット(Ａ)は、前後のサイドビーム(５)(５)の下方において、上端が両側枠(４)(４)に係止され、基杆(３)の前後面を覆う幕板(８)(８)と、各支持脚(２)の外側面に取り付けられ、支持脚(２)及び基杆(３)の側面を覆う側面カバー(９)とを備えている。
【００２３】
各支持脚(２)の上端には、追加支柱(10)の下端部が嵌合され、かつ固着されている。左右１対の追加支柱(10)(10)の上端部間には、基杆(３)と平行の上部梁杆(11)が架設されている。
【００２４】
かくして、受支板(６)の上下に、各種の電子、電気機器類に接続する給電線や信号線等の配線を収容するとともに、受支板(６)に設けた多数の嵌合孔(12)に、テーブル、棚装置、仕切板(いずれも図示略)等のワークステーション構成要素を支持する支杆を嵌合して、それらを集約的に支持することができるようになっている。
【００２５】
本発明は、このような配線ダクトユニット(Ａ)における、支持脚(２)の外側面への側面カバー(９)の取付構造に関するものである。
【００２６】
図３以降に示すように、各支持脚(２)は、アルミニウム軽合金の押出成形部材により、上下方向を向く中空筒状に形成されている。
【００２７】
支持脚(２)の横断面形状は、図３に示すように、前後方向に長い中空の長方形をなし、両側面が緩やかな円弧状をなして両側方に膨出している。
【００２８】
支持脚(２)の両側面中央には、両側方に開口する係合溝(13)が上下方向に連続するように設けられている。各係合溝(13)の開口縁部には、互いに内向きの突条(14)(14)が形成され、各係合溝(13)は、平面視ほぼ横向きＴ字状をなしている。
【００２９】
側面カバー(９)は、側面形が縦長の方形をなし、かつ平面視が緩やかな円弧状をなし、さらに前後の側端が内方へほぼＵ字状に折り返されている。
【００３０】
側面カバー(９)の内面中央には、基片(15a)の前後端に外側方を向く側片(15b)(15b)を折曲形成した平面視コ字状をなす板金製の取付板（板材）(15)が、溶接等により固着されている。
【００３１】
図３〜図５に示すように、取付板(15)における基片(15a)の上下２個所には、平面外向きＬ字状をなす前後１対の係合片(16)(16)が、基片(15a)より切り起こして形成されている。
【００３２】
両係合片(16)(16)は、支持脚(２)の外側面における係合溝(13)の開口部より係合溝(13)内に進入し、かつ各突条(14)の背面に係合しうるような形状寸法としてある。
【００３３】
図５及び図７〜図１０に示すように、基片(15a)における各係合片(16)(16)の上下部には、横長の取付孔(17)が穿設されており、各取付孔(17)には、合成樹脂製のスライダ(18)が嵌着されている。
【００３４】
各スライダ(18)は、表面が緩やかな平面視円弧状をなすほぼ方形の摺接面部(19)と、その外側面から外側方に向かって突出する上下１対の係合突片(20)(20)と、同じく左右１対の位置決め突片(21)(21)とからなり、上下の係合突片(20)(20)の上下面には、係合爪(20a)(20a)が設けられている。
【００３５】
係合突片(20)(20)と位置決め突片(21)(21)とを、取付孔(17)の上下縁及び両側縁の内側に当接し、かつ係合爪(20a)(20a)を取付孔(17)の上下縁に係合させることにより、スライダ(18)は取付孔(17)に、着脱可能として、しかもがたつくことなく嵌着されている。
【００３６】
取付板(15)の基片(15a)の上端には、支持脚(２)の上端面に当接することにより、側面カバー(９)を、予め定めた定位置に保持するようにした内向きのストッパ(22)が、ほぼ直角に折曲形成されている。
【００３７】
このストッパ(22)の平面形状は、支持脚(２)の上端面に当接した際、係合溝(13)の上端開口部の前端を覆うに足る寸法とした平面形状としてある。
【００３８】
この実施形態においては、上下の係合片(16)(16)が係合溝(13)の各突条(14)に係合するようにして、側面カバー(９)を、支持脚(２)の外側面の上端より係合溝(13)に沿って下降させ、ストッパ(22)を、支持脚(２)の上端面に当接させるだけで、側面カバー(９)を支持脚(２)に簡単、迅速、かつ正確に取り付けることができる。
【００３９】
係合片(16)(16)を係合溝(13)に係合させ、かつ下降させる際に、スライダ(18)(18)は、その下降を円滑に案内するとともに、係合片(16)(16)と係合溝(13)の突条(14)(14)とのがたつき、ひいては、装着後の側面カバー(９)のがたつきを防止することができる。
【００４０】
なお、取付板(15)を省略して、係合片(16)やスライダ(18)、及びストッパ(22)等を、側面カバー(９)の内面に直接設けて実施したり、係合片(16)の平面形状を、係合溝(13)の平面形状と補形をなす平面視ほぼＴ字状として実施したりすることができる。
【００４１】
図３に示すように、支持脚(２)の断面形状には、追加支柱(10)を嵌合して固着するための特徴やその他の特徴があるが、それらは、本発明には直接関係しないので、詳細な説明は省略する。
【図面の簡単な説明】
【００４２】
【図１】本発明の一実施形態を備える配線ダクトユニットの斜視図である。
【図２】同じく、分解斜視図である。
【図３】同じく、配線ダクトユニットの左側部の拡大横断平面図である。
【図４】同じく、図３におけるIV−IV線に沿う縦断面図である。
【図５】同じく、側面カバーの内方より見た側面図である。
【図６】同じく、側面カバーの拡大平面図である。
【図７】同じく、図５におけるＶII−ＶII線に沿う拡大横断平面図である。
【図８】同じく、スライダの正面図である。
【図９】同じく、スライダの底面図である。
【図１０】同じく、スライダの側面図である。
【符号の説明】
【００４３】
(Ａ)配線ダクトユニット
(１)安定脚
(２)支持脚（押出成形部材）
(３)基杆
(４)側枠
(５)サイドビーム
(６)受支板
(6a)起立片
(７)梁杆
(８)幕板
(９)側面カバー（カバー）
(10)追加支柱
(11)上部梁杆
(12)嵌合孔
(13)係合溝
(14)突条
(15)取付板（板材）
(15a)基片
(15b)側片
(16)係合片
(17)取付孔
(18)スライダ
(19)摺接部
(20)係合突片
(20a)係合爪
(21)位置決め突片
(22)ストッパ
【図１】
2005073850.tif 000003
【図２】
2005073850.tif 000004
【図３】
2005073850.tif 000005
【図４】
2005073850.tif 000006
【図５】
2005073850.tif 000007
【図６】
2005073850.tif 000008
【図７】
2005073850.tif 000009
【図８】
2005073850.tif 000010
【図９】
2005073850.tif 000011
【図１０】
2005073850.tif 000012